(57)【要約】【課題】汚水桝の既設蓋は、蓋穴を利用して第三者が容易に開けたり、ずらしたりすることができ、開けたまま、ずらしたままにしておくことによる落下や転倒事故を生ぜしめるおそれがあった。【解決手段】蓋穴の長さ及び幅よりも大の寸法の切り欠き穴を有する板体の裏面に切り欠き穴の長さ方向をはさんだ両側に保持金具をそれぞれの開口部が水平方向に互いに相反する方向に向くようにして固着した蓋部取り付け板と、蓋部取り付け板の切り欠き穴を閉塞し、前記保持金具間に位置する寸法の板体に蓋穴の央部相当個所に軸穴を形成した閉塞板と、保持金具に架け渡されて保持される固定翼を直角に備え、頭部に回転手段を持つ回転軸とからなる汚水桝蓋取り外し防止装置を提供する。【選択図】図１
0003127212.tif 000002
【実用新案登録請求の範囲】
【請求項１】
蓋穴の長さ及び幅よりも大の寸法の切り欠き穴を有する板体の裏面に切り欠き穴の長さ方向をはさんだ両側に保持金具をそれぞれの開口部が水平方向に互いに相反する方向に向くようにして固着した蓋部取り付け板と、蓋部取り付け板の切り欠き穴を閉塞し、前記保持金具間に位置する寸法の板体に蓋穴の央部相当個所に軸穴を形成した閉塞板と、保持金具に架け渡されて保持される固定翼を直角に備え、頭部に回転手段を持つ回転軸とからなる汚水桝蓋取り外し防止装置であって、蓋部取り付け板と閉塞板とは、蓋部取り付け板の裏に蓋部取り付け板の切り欠き穴を覆って、保持金具間で重合し、蓋部取り付け板と回転軸とは、回転軸の先端を閉塞板の軸穴に位置させるとともに固定翼の蓋部取り付け板の切り欠き穴の両側に固着されている保持金具に保持させて一体とすることを特徴とする汚水桝蓋取り外し防止装置。
【考案の詳細な説明】
【技術分野】
【０００１】
本発明は、汚水桝蓋の取り外し防止装置及び汚水桝取り外し装置を備えた汚水桝蓋に関する。
【背景技術】
【０００２】
汚水桝は、通常、コンクリート蓋で閉塞されている。しかしながら、この蓋を開けるためのバール等を差し込むための穴が形成されているため、担当者以外による開閉も可能となっている。ちなみに、普遍的な汚水桝のコンクリート蓋を図６に示すと、蓋１には蓋穴１１が削孔されている。
【０００３】
そのため、担当者以外の者によって蓋を開けられたり、ずらしたりされるままになっていると、それによる落下や転倒事故等が発生するおそれがある。
【０００４】
蓋をあけることができないように、例えば、蓋の既設穴をシールを貼り付けたりして塞ぐことも考えられるが、かえって目立ち、いたずら等の好奇心をあおる結果ともなりかねない。
【０００５】
これらの課題を解決するため、近時、幾つかの提案、例えば、特許文献１ではマンホール鉄蓋用栓構造が、特許文献２では鉄蓋の鉤孔用栓が提案されている。
【０００６】
【特許文献１】実開平６−７９８４７
【特許文献２】特開平７−７６８５１
【考案の開示】
【考案が解決しようとする課題】
【０００７】
本考案は、上述した汚水桝のコンクリート蓋が容易に第三者によって開けられるという課題を解決せんとするものであり、併せて上記提案よりも構造が簡易で作業性の容易な汚水桝蓋取り外し防止装置を提供しようとするものである。
【課題を解決するための手段】
【０００８】
上記課題を解決するため、以下の手段を提供する。
【０００９】
蓋穴の長さ及び幅よりも大の寸法の切り欠き穴を有する板体の裏面に切り欠き穴の長さ方向をはさんだ両側に保持金具をそれぞれの開口部が水平方向に互いに相反する方向に向くようにして固着した蓋部取り付け板と、該蓋部取り付け板のきり欠き穴を閉塞し、前記保持金具間に位置する寸法の板体に蓋穴の央部相当個所に軸穴を形成した閉塞板と、保持金具に架け渡されて保持される固定翼を直角に備え、頭部に回転手段を持つ回転軸とからなる汚水桝蓋取り外し防止装置であって、蓋部取り付け板と閉塞板とは、蓋部取り付け板の裏に蓋部取り付け板の切り欠き穴を覆って、保持金具間で重合し、蓋部取り付け板と回転軸とは、回転軸の先端を閉塞板の軸穴に位置させるとともに固定翼の蓋部取り付け板の切り欠き穴の両側に固着されている保持金具に保持させて一体とすることを特徴とする汚水桝蓋取り外し防止装置を提供する。
【考案の効果】
【００１０】
本考案は、上述のようにしてなるのでつぎの効果を有する。
【００１１】
本考案に係る汚水桝蓋取り外し防止装置は、蓋の裏面から取り付けられることで、蓋穴を隠すので、第三者による蓋穴にバール等を挿入しての蓋の取り外しを防止できる。
【００１２】
本考案に係る汚水桝蓋取り外し防止装置は、蓋部取り付け板と閉塞板と回転軸を組み合わせてなる構造なので、全体として簡易である。
【００１３】
本考案に係る蓋部に取り付けられた蓋取り外し防止装置は、回転軸を回転軸の頭部の回転手段を利用して回転させるだけで、蓋の裏面から閉塞板が外れるので作業が容易である。
【００１４】
本考案に係る蓋取り外し防止装置は、工場等で製作することができ、既設汚水桝の蓋への蓋部取り外し防止装置の取り付けも蓋を工場に持ち帰って取り付けることができるので便利である。
【考案を実施するための最良の形態】
【００１５】
本考案を実施するための最良の形態を以下図面に基づき説明する。
【００１６】
図１は、取り外し防止装置が取り付けられている汚水桝蓋の断面図で、蓋１の裏面より、蓋部取り付け板２と閉塞板３と回転軸４とからなる汚水桝蓋の取り外し防止装置が取り付けられている状態を示す。
【００１７】
図２は、蓋部取り付け板２の裏面側から見た斜視図、図３は、回転軸を結合した閉塞板３の裏面側から見た斜視図である。
【００１８】
蓋部取り付け板２は、図６に示す蓋１の裏面に接着、溶接又はビス等により取り付けられる円形の鋼製の板体２に、蓋１の蓋穴１ａよりも長さ及び幅よりも大の寸法の切り欠き穴２ｂを有し、板体２ａの裏面に切り欠き穴２ｂの長さをはさんで、その両側にクランク状の保持金具５をそれぞれの開口部５ａが互いに相反する方向に向くようにして接着、溶接又はビス等により固着されてなる。
【００１９】
閉塞板３は鋼製にしてなり、前記蓋部取り付け板２の切り欠き穴２ｂを覆い、かつ、保持金具５、５間に位置する寸法の板体３ａからなり、回転軸４は、外周にねじ切り４ａをしたボルト状物からなり、軸直角両方向に棒状の固定翼６を回転軸４を貫通させて備え、頭部には、図５に見られるようにドライバー用六角穴等の回転手段４ａを備えてなる。
【００２０】
閉塞板３には、その央部に回転軸４を挿通する挿通孔が形成されており、閉塞板３と回転軸４とは、閉塞板３の裏面から、回転軸４を頭部から差し込み、螺設又は挿通して結合する。この実施の態様では、閉塞板３の両面を回転軸に形成したフランジ４ｂ、４ｃではさみ込むようにしてある。
【００２１】
図４は、蓋部取り付け板２と閉塞板３と回転軸４とを一体とした状態を示す裏面側から見た斜視図、図５は、同表面側から見た斜視図である。
【００２２】
蓋部取り付け板２と閉塞板３とは、閉塞板３の表面を蓋部取り付け板２の裏面に合わせて切り欠き穴２ｂを閉塞し、閉塞板３の裏面側に位置する回転軸４の固定翼の６、６を蓋部取り付け板２に固着されている保持金具５、５のそれぞれに開口部５ａ、５ａから押し入れることにより、一体化する。
【００２３】
閉塞板３と回転軸４とは、単に回転軸４が閉塞板３に形成された回転軸挿通孔に取り付けられていなくても回転軸４の固定翼６が蓋部取り付け板２に固着されている保持金具５に保持されることから、蓋部取り付け板２と閉塞板３と回転軸とは一体となる。
【００２４】
このようにして全体として汚水桝蓋取り外し防止装置が形成される。
【００２５】
上述のようにしてなる汚水桝蓋取り外し防止装置は、図１に示すように、汚水桝の蓋１の裏面に取り付けられて設置される。
【００２６】
設置手順は、まず汚水桝から蓋１を取り外す。蓋１を取り外した後、蓋１の裏面に蓋取り外し防止装置を、蓋部取り付け板２の表面を合わせ、接着、溶接、ビス等を用いて取り付ける。取り付けは工場へ持ち帰って行っても現地で行ってもよい。
【００２７】
蓋１に蓋取り付け防止装置を取り付けるに当っては、予め回転軸４の固定翼６、６が、蓋部取り付け板２に固着されている保持金具にきちんと保持されていることと、回転軸４の頭部と蓋穴１ａの央部１ｂとが一致していることを確認する。
【００２８】
蓋取り外し防止装置の取り付けられた蓋１は、裏面から蓋穴１が閉塞されているので、汚水桝への設置は手で行う。
【００２９】
蓋１の蓋穴１ａは裏面から閉塞されており、マンカギは使用できないから、汚水桝から蓋１を外すときは、回転軸４の頭部の回転手段４ａ、この実施例ではドライバー用六角穴に六角ドライバーを挿し込み、解放方向に回転させて閉塞板３を下に落す。閉塞板３と回転軸４とが蓋部取り付け板２、回転軸のいずれにも固定されていないときは、回転軸４も下に落ちる。これらが蓋部取り付け板２からばらばらにならないように紐でつないでおくとよい。蓋１の蓋穴１ａの閉塞が解除されたときは、通常どおり蓋穴１ａを介してマンカギで開ける。
【００３０】
上述のように、本考案は、容易に又簡易な構造で汚水桝の蓋の蓋穴を閉塞することができ、また、考案の効果の項で述べたような優れた効果を有する。
【図面の簡単な説明】
【００３１】
【図１】本考案に係る蓋取り外し防止装置を汚水桝に取り付けた一実施の形態を示す断面図である。
【図２】蓋部取り付け板の一実施の形態を裏面から見た斜視図である。
【図３】閉塞板と回転軸を結合した一実施の形態を裏面から見た斜視図である。
【図４】汚水桝蓋取り外し防止装置の一実施の形態を裏面から見た斜視図である。
【図５】汚水桝蓋取り外し防止装置の一実施の形態を表面から見た斜視図である。
【図６】汚水桝蓋の表面図である。
【符号の説明】
【００３２】
１    蓋
１ａ  蓋穴
１ｂ  央部
２    蓋部取り付け板
２ａ  板体
２ｂ  切り欠き穴
３    閉塞板
３ａ  板体
４    回転軸
４ａ  回転手段
４ｂ  フランジ
４ｃ  フランジ
５    保持金具
５ａ  開口部
６    固定翼
【図１】
0003127212.tif 000003
【図２】
0003127212.tif 000004
【図３】
0003127212.tif 000005
【図４】
0003127212.tif 000006
【図５】
0003127212.tif 000007
【図６】
0003127212.tif 000008